(57)【要約】【課題】  電源の提供を目的とする建築物の壁内に設置するコンセントボックスにおいて、プラグが壁外に露出することにより生じる邪魔になる、美観を失う、漏電や感電、火災の危険性等の問題を解消し、プラグの挿入方向を任意選択して設置することが可能であり、コンセントボックスの複数の面に複数のプラグ挿入孔を設けることが可能であり、コンセントボックスの奥幅を一定の範囲で任意に調整し、同一コンセントボックスを壁の両面から共用可能な効率の高いコンセントボックスを提供する。【解決手段】  コンセントボックスの前後両面に開閉自在の蓋を設け、コンセントボックスの左、右、上、下四面のいずれかの面か、或いは複数の面にコンセント基板を設けることにより壁の厚さに合わせて調整可能にし、壁の両面から同一コンセントを使用可能にした壁内設置型コンセントボックス。【選択図】図１
2005245187.tif 000002
【特許請求の範囲】
【請求項１】
建築物の壁内に設置するコンセントボックスであって、そのボックス（１）の前後両面を開放し、開放した前後両面にそれぞれ連結筐（５）を取り付け、その連結筐（５）に蓋（６）を開閉自在に取り付け、コンセントボックスの中の左側面、右側面、上面、下面のいずれかの面か、或いは複数の面にコンセント基板を設けた構造を特徴とする壁内設置型コンセントボックス。
【請求項２】
建築物の壁内に設置するコンセントボックスであって、そのボックス（１）の前後両面を開放し、開放したボックス（１）の左側面、右側面、上面、下面を内外二重構造にし、二重構造の内層か、或いは外層の左側面、右側面、上面、下面のいずれかの面か、或いは複数の面にコンセント基板を設け、残りの内層か或いは外層は中心部から切り離れた二枚にし、二枚の外側の面にそれぞれ連結筐（５）を取り付け、その連結筐（５）に蓋（６）を開閉自在に取り付けた構造を特徴とする壁内設置型コンセントボックス。
【発明の詳細な説明】
【技術分野】
【０００１】  本発明は、建築物の壁内に設置するコンセントボックスで、そのコンセントボックスの前後両面を開放し、そこにそれぞれ連結筐を取り付け、その連結筐に蓋を開閉自在に取り付け、コンセントボックスの中の左側面、右側面、上面、下面のいずれかの面か、或いは複数の面にコンセント基板を設けた構造のもので、電源を提供するため建築物の壁内に設ける壁内設置型コンセントボックスに関するものである。
【背景技術】
【０００２】  従来、ビル、マンション、工場等を問わずほとんどの建築物において、電源を提供するために壁に設けるコンセントはプラグの挿入孔を備えたコンセント基板の表面側を壁面と面一にし、プラグの挿入孔を壁面に露出する形で壁内に埋め込むのが一般的であった。
そのため、電源をつなげるためにプラグをコンセントのプラグ挿入孔に挿入するとプラグが壁面より突出してしまっていた。
このような従来型コンセントは、使用する際はプラグをプラグ挿入孔に差込し、使用後はプラグを引き出せばよい。
ところが、実際は生産工場や事務室、一般家庭を含めて、プラグをコンセントに差し込んだままの状態で長期間使用する場合が多いのでプラグが壁面より突出することにより次のような問題が発生していた。
コンセントが通路や出入口などの足元の近くにある場合、或いはタンスや冷蔵庫などの家具を壁に密着させて並べたい時は壁から突出されたプラグが邪魔になっていた。
逆に、壁の目立つ場所に設けたコンセントは壁面より突出したプラグが室内の美観を失っていた。
また、キッチンや水産加工場のような水を多く使う部屋の壁から露出したプラグは感電や漏電の危険性があるため常時水が入らないように注意しなければならなかった。
さらに壁の低い所に設けてあるコンセントは、幼い子供の感電の恐れさえあるだけでなくプラグ挿入孔がゆるくなってコンセントとプラグの間に隙間が出来て、その隙間に溜まった埃が引火され火事の原因になったこともある。
これらの問題を解消するために、今まで多くの考案が発表されているが中にはいくつかの壁内設置型のコンセントボックスもある。
先行技術は、特願平９−４４１７、特願平６−７２０１１、特願平６−８３３３、実願平４−８６４０２などがある。
【発明の開示】
【発明が解決しようとする課題】
【０００３】  上記記載の先行技術は、コンセントにプラグを挿入した状態でもプラグが壁外に露出しないよう壁内設置型コンセントボックスである共通点がある。
よって、プラグが壁外に露出することが原因で発生する上記に記載した様々な問題は解決したとは言え、構造上プラグの挿入方向が制限されたり壁の一定の厚さが必要であったり、コンセントの利用効率が低いなどの問題点があり最善の設計とは言えなかった。
本発明の目的は、プラグが壁外に露出しないような壁内設置型ボックであるだけでなく、構造上より合理的で利便性が良く、効率の高いコンセントボックスを提供することである。
【課題を解決するための手段】
【０００４】  本発明は、次の構造により構成される。
プラグの挿入孔が壁外に露出しないようにするため、コンセントを図１の（Ａ）に示す壁内設置型ボックス（１）にする。
ボックスの前後両面を開放し、そこにそれぞれ連結筐（５）を取り付け、連結筐（５）に蓋（６）を開閉自在に設ける。
連結筐（５）には四つの角部に各一つのネジ穴とボックス（１）を嵌め込むよう溝（１０）と配線導入口（７）を設ける。
ボックス（１）の上面、下面、左側面、右側面のいずれかの面か或いは複数の面にコンセント基板のサイズに合わせた解放口（２）を設ける。
その開放口（２）に電気配線（８）の連結部とプラグ挿入孔（４）を備えたコンセント基版（３）を取り付ける。
上記記載の設計を基本形とし、請求項１の場合はボックス（１）の連結筐（５）に嵌め込む両側辺縁はボックスを壁内に設置する際、壁の厚さに合わせて切り取れるように数ｍ間隔で幾つの切り目（１５）入れて置く。
連結筐（５）の裏面にはボックス（１）の辺縁を嵌め込む用溝（１０）を設ける。
請求項２の場合は、図３の示す前後両面に蓋を設けた請求項１の上で、ボックス（１）の辺縁を嵌め込む用溝（１０）と、切り目（１５）をなくし、代わりにボックス（１）の上、下、左、右の四面をわずかな間隙を置いて内、外二層構造にし、そのうちの内層かあるいは外層にコンセント基版（３）を設け、残りの内層か若しくは外層に連結筐（５）と蓋（６）を取り付ける。
連結筐（５）を取り付ける層は中心部から切り離された２枚にする。
また、連結筐（５）を取り付けた層は、コンセント基版のサイズに合わせた缺欠部（１２）を設ける。
本発明は以上の構造により構成されてあり次のような効果を表す。
【発明の効果】
【０００５】（イ）本発明は、コンセントボックスを壁内に設置することにより、プラグとコンセント基版が壁内に収納されるので、プラグの壁外突出による発生する美観を失う、邪魔になる、漏電、感電、火事の危険性などの上記に記載した問題はすべて解消することができる。
（ロ）その上、本発明はコンセントボックスを壁内に設置する際、プラグ挿入口の方向を上、下、左、右の４つの方向に任意に選択して設置することが可能なので利便性が良く、需要によりコンセントボックスの複数の面に複数のコンセント基板を設けることが可能である。
（ハ）本発明は対象壁の厚さが４ｃｍ以上なら狭い壁にでも対応可能であり、コンセントボックスの奥幅を対象壁の厚さに合わせて調整することが可能なので産業上適用範囲が広く、同一コンセントボックスを設置した対象壁の単面だけでなく、両側から共用することも可能なので使用効率が高く、その分作業時間の短縮、人件費や材料費の節約等の利点があるので、従来形コンセントよりコストが多少高くても効能効果を比べると経済的なメリットが大きい。
【発明を実施するための最良の形態】
【０００６】  以下、本発明の実施の形態について図面を参照しながら説明する。
本発明はコンセントを使用する際コンセント基板とプラグが壁外に露出しないようにするため、コンセントを図１（Ａ）の示す壁内設置型にする。
尚、ボックス（１）の外形は需要に応じて箱型のみならず、多角形や円筒形にすることも可能だが、その場合は連結筐（５）と蓋（６）も相応に変形させれば良い。
ボックスの前後両面を開放し、そこにそれぞれ連結筐（５）を取り付け、連結筐（５）に蓋（６）を開閉自在に設ける。
連結筐（５）は、コンセントボックス（１）と蓋（６）を連結する役割とコンセントボックスを壁内に埋め込む際ボックスを壁に固定する役割を果たせる為サイズをボックスの外郭より一回り大きくし、４つの角部に各一つのネジ穴（９）とボックス（１）を嵌め込むよう溝（１０）を設ける。
また、連結筐（５）には蓋（６）を開閉する際邪魔にならないところにプラグ配線が通れるよう約１．５ｃｍから約３ｃｍ幅の配線導入口（７）を設ける。
蓋（６）は一辺縁が連結軸により連結された前開式にするか、若しくは図１の（Ｂ）に示すよう突出溝（１１）を設けたスライド式にしても良い。
ボックス（１）の上面、下面、左側面、右側面のいずれかの面か、或いは複数の面にコンセント基板のサイズに合わせて解放口（２）を設ける。
その開放口（２）に電気配線（８）の連結部とプラグ挿入孔（４）を備えたコンセント基版（３）を螺子で取り付ける。
上記記載の設計を基本形とし、請求項１の場合はボックス（１）の連結筐（５）に嵌め込む両側辺縁はボックスを壁内に設置する際、壁の厚さに合わせて切り取れるように数ｍ間隔で幾つの切り目（１５）入れて置く。
連結筐（５）の裏面にはボックス（１）の辺縁を嵌め込む用溝（１０）を設ける。
請求項２の場合は、図３の示す前後両面に蓋を設けた請求項１の上で、ボックス（１）の辺縁を嵌め込む用溝（１０）と、切り目（１５）をなくし代わりにボックス（１）の上、下、左、右の四面をわずかな間隙を置いて内、外二層構造にし、そのうちの内層かあるいは外層にコンセント基版（３）を設け、残りの内層か若しくは外層に連結筐（５）と蓋（６）を取り付ける。
請求項２の場合は、図３の示す前後両面に蓋を設けた請求項１の上でさらにボックス（１）の上、下、左、右の四面をわずかな間隙を置いて内、外二層構造にし、そのうちの内層かまたは外層にコンセント基版（３）を設け、残りの内層か外層に連結筐（５）と蓋（６）を取り付けるのだが、連結筐（５）を取り付けた層は中心部からきり離して、伸縮する際コンセント基版に当たらないようコンセント基版のサイズに合わせた缺欠部（１３）を設ける。
缺欠部（１３）は実際コンセントボックスを使用する際、壁の厚さに合わせて切り取るように切り目を入れておく。
また、伸縮により奥幅を調整した後、ボックスの内外両層を固定する為に内外両層のボックスにそれぞれ固定用のネジ孔（１２）を設ける。
本発明を製品化し、それを生産するには、電気配線の連結部とプラグ挿入孔が備えたコンセント基板は、共用、公知技術を利用することが可能であり、それ以外のボックス箱体の材質は工業用硬質プラスチックか、プラスチックと類似性質を持つ合成樹脂を使用することが可能である。
コンセントボックスのサイズは一般家庭用としては使用上の便利を図るため横、縦とも約１０ｃｍから約１５ｃｍ程度が適度であるが、少なくともコンセントボックスの中のプラグを差し込む方向の中空部の空間幅を１０ｃｍ以上にする。
生産工場などの大型建築物や、特に動力電源の三相電源用はプラグの大きさとプラグ挿入孔の数に合わせて相応のサイズに拡大すれば良い。
本発明を産業上利用するには、新築の場合は、まず建築物の設計の段階で建築物の性質（マンションなのか、工場なのか、オフィスビルなのか等）と各部屋の用途に合わせて、コンセント設置場所、設置方向、と本発明の請求項１から請求項３までの中からどのタイプのコンセントボックスを使用するかを決める。
そして、施工の際は壁を建てる時、壁の中からコンセントボックスを設置する位置まで電気配線を配置し、コンセントボックスが入れるようの大きさ（尚、連結筐（５）より小さい）の設置口を残して置く。
コンセントボックスを取り付ける際は、請求項１タイプのコンセントボックスを使用する場合は、両側のコンセントボックスの蓋（６）が付いた連結筐（５）をボックス（１）から外して、壁の厚さに合わせてボックス（１）の切り目を取ってから、壁内に配置されてある電気配線をコンセント基盤（１３）の電気連結口（８）に接続し、電源が繋がったら設計要求のプラグ挿入方向に合わせてボックス（１）を壁のボックス設置口に埋め込む。
そして、両側からコンセントボックス（１）の外側を連結筐（５）の溝（１０）に埋め込み、最後ネジ孔（９）でコンセントボックスを壁に固定すれば設置は完了する。
請求項２のタイプを使用する場合は、請求項１の手順で、コンセントボックスの蓋（６）が付いた連結筐（５）をボックス（１）から外し、ボックス（１）を壁に埋め込んだ後、連結筐（５）と連結する層は壁の厚さに合わせての切り目（１３）の切り目を取ってから、コンセントボックスの内外両層を壁の厚さに合わせてスライドし、ネジ孔（１２）で内外両層を固定する作業を加えれば良い。
既存の建築物のコンセントを本発明品に取り換える場合は、まず現在使用中のコンセントを壁から外し、壁のコンセント設置口の大きさを設計図に決められた本発明品コンセントボックスを埋め込む可能な大きさに拡大してから、上記記載の施工際と同じ手順で取り付ければよい。
尚、現在使用中のンセントの壁の設置口の大きさを拡大不能の場合は発明品を使用できないことになる。
コンセントボックスを使用する際はボックスの蓋を開けて、フラグを中のプラグ挿入孔に挿入して電源をつなげてから蓋をしめて使用すれば良い。
本発明は以上の構成でなりこれを使用するときは下記のような応用が出来る。
【実施例】
【０００７】  ある製粉会社が新しい製粉工場を建築するとする。
建築物は、原料庫から始め選別、水洗、殺菌、製粉、篩掛け、袋詰め、金属探知機、箱詰め、製品庫など合計１０個の作業場がつながり生産マニュアル規則により各作業場を壁で隔離して個別部屋にする。
通常の場合、従来のコンセントを設置すると、各部屋に電源を提供するためには１０個の壁に少なくトンも１０個のコンセントを設置しなければならない。
ところが、本発明品を使用する場合は、その半分の５つのコンセントボックスを２つの部屋の間の壁に設置するだけで１０個の部屋すべてに電源を提供できるので、それによりコンセントを設置するための作業時間、人件費、ケーブル、コンセントの材料費などすべてを減縮することになる。
さらに本発明本を使用する場合、各部屋の設備の数量や設置位置に合わせてコンセントボックスのプラグ挿入孔の数と挿入方向等を任意に選択して合理的に設置することが可能である。
水洗加工場など水を多く使う部屋のコンセントは、下から上に差し込むように設けて蓋を閉めれば外から水をかけても感電や漏電の心配はなくなる。
このような応用は、生産工場のみならず、住宅、ビル等のすべての建築物に置いても同様である。
【図面の簡単な説明】
【０００８】
【図１】本発明の（Ａ）と（Ｂ）は、請求項（１）の外観イメージ斜視図である。
【図２】本発明の請求項（１）の分解斜視図である。
【図３】本発明の請求項（２）の分解斜視図である。
【符号の説明】
【０００９】    １  コンセントボックス
２  開放口
３  コンセント基板
４  プラグ挿入口
５  連結筐
６  蓋
７  配線導入口
８  配線連結部
９  固定用螺子孔
１０溝
１１スライド溝
１２ネジ孔
１３缺欠部
１４切り離れた外層
１５切り目
１６プラグ
【図１】
2005245187.tif 000003
【図２】
2005245187.tif 000004
【図３】
2005245187.tif 000005